(57)【特許請求の範囲】
【請求項１】
燃料極層に燃料ガスが供給され、酸化剤極層に酸化剤ガスが供給されることにより発電反応が生じる固体酸化物形燃料電池と、燃料ガス供給手段から供給された燃料ガスを上記燃料極層へと供給する燃料ガス供給ラインと、この燃料ガスラインに介装された改質器と、この改質器の上流側の上記燃料ガス供給ラインに接続されて上記改質器に改質用の水蒸気を供給する水蒸気供給ラインと、酸化剤ガス供給手段から供給された酸化剤ガスを上記酸化剤極層に供給する酸化剤ガス供給ラインとを備えてなり、
上記酸化剤ガス供給ラインに、上記燃料ガス供給手段および酸化剤ガス供給手段並びに上記水蒸気供給ラインが緊急停止した際に、上記酸化剤極層に酸化剤ガスを供給可能な緊急停止用酸化剤ガス供給手段が設けられ、
かつ上記緊急停止用酸化剤ガス供給手段は、上記燃料ガス供給ラインおよび上記改質器の総容量により定められた容量の酸化剤ガスが充填された第1の酸化剤ガスタンクと、この第１の酸化剤タンクと上記酸化剤供給手段との間の上記酸化剤ガス供給ラインに、上記燃料ガス供給手段および上記酸化剤ガス供給手段並びに上記水蒸気供給ラインが緊急停止した際に開く電磁弁を介して枝配管されて酸化剤ガスが充填された第２の酸化剤ガスタンクと、この第２の酸化剤ガスタンクと上記電磁弁との間に介装されて上記第1の酸化剤ガスタンクから上記容量の酸化剤ガスが供給された後に上記水蒸気供給ラインの残余の水蒸気が無くなるまで上記第２の酸化剤ガスタンクからの酸化剤ガスの供給量を第１の酸化剤ガスタンクの酸化剤ガスの供給量より少なくなるように調整して上記酸化剤極層に供給する酸化剤ガス流量調整手段とを備えていることを特徴とする燃料電池システム。
【発明の詳細な説明】
【技術分野】
【０００１】
本発明は、燃料極層に燃料ガスを、酸化剤極層に酸化剤ガスを供給して発電を行う固体酸化物形燃料電池を備えた燃料電池システムに関するものである。
【背景技術】
【０００２】
従来の燃料電池システムとして、固体酸化物形燃料電池と、燃料ガス供給手段（炭化水素ガスブロア）から供給された炭化水素ガスを改質器内において燃料ガスへと改質し、その燃料ガスを上記固体酸化物形燃料電池に供給する燃料ガス供給ラインと、酸化剤ガス供給手段（空気ブロア）から供給された空気（酸化剤ガス）を上記固体酸化物形燃料電池に導く酸化剤ガス供給ラインと、水供給手段(水ポンプ)から供給された水を水蒸気発生器において上記改質器の改質反応に必要な水蒸気へと気化し、その水蒸気を改質器に供給させる水蒸気供給ラインを備えたものが知られている。
【０００３】
この固体酸化物形燃料電池は、固体電解質層の一方の面に燃料極層を、他方の面に空気極層(酸化剤極層)を配置した発電セルの外側に、各々燃料極集電体と空気極集電体を配置し、これらの集電体の外側にセパレータを配置することにより構成された単セルを複数積層することにより構成されるとともに、上記燃料極層に上記燃料ガス供給ラインを通じて燃料ガスが供給され、上記空気極層に上記酸化剤ガス供給ラインを通じて空気が供給されることにより発電反応が生じるものである。
【０００４】
ここで、固体電解質層は、ランタンガレート材料（ＬＳＧＭＣ）等によって構成され、燃料極層は、Ｎｉのサーメットで構成され、空気極層は、サマリウムストロンチウムコバルタイト(ＳＳＣ）によって構成されている。
【０００５】
そして、燃料極集電体は、Ｎｉ基合金などの多孔質焼結板によって構成され、空気極集電体は、Ａｇ基合金などの多孔質焼結板によって構成されている。
【０００６】
一方、水蒸気発生器は、水供給手段から導入された水から上記改質器の改質反応に必要な水蒸気を生成するものであり、水を効率良く気化させるための熱伝導性の良好なビーズが充填されている。
【０００７】
他方、改質器は、炭化水素ガスおよび水蒸気が導入されて、改質反応が行われることにより燃料ガスを生成するものであり、内部に炭化水素用のＮｉ（ニッケル）系、或いはＲｕ（ルテニウム）系の改質触媒が充填されている。
【０００８】
このような燃料電池システムを長期間使用していると、偶発的に停電が生じ、空気ブロアや燃料ガスブロアが停止することがある。そして、この停電が長時間続く状態、即ち完全停電である場合、上記燃料電池システムは、安全性を考慮して、そのまま緊急停止するように設定されている。
【０００９】
このように完全停電によって燃料電池システムが緊急停止すると、電力が供給されず燃料ガスブロアおよび空気ブロアを稼働させることができない状態にあることから、固体酸化物形燃料電池は自然に降温されていく。
【００１０】
ところが、この際、燃料ガス供給ラインおよび改質器には、燃料ガスが残存しており、この残存燃料ガスを上記固体酸化物形燃料電池の燃料極層へと流入すると、上記固体酸化物形燃料電池の空気極層の酸素イオンが固体電解質層中を通じて上記燃料極層へと移動するために、上記空気極層の結晶構造が不可逆に変化してしまう。このため、緊急停止後に再稼働しても、上記固体酸化物形燃料電池の発電セルのセル電圧が低下してしまうという問題点があった。
【００１１】
さらに、上記水蒸気供給ラインおよび水蒸気発生器には、水蒸気が残存しており、燃料ガス供給ラインおよび改質器の残存燃料ガスが燃料極層に流入した後に、その残余の水蒸気が改質器および燃料ガス供給ラインを通じて燃料極層へと微量な供給量で長時間導入される。すると、この水蒸気は、高温で酸化作用があることから、改質器内のＮｉ系の改質触媒およびＮｉ基合金の多孔質焼結金属板からなる燃料極集電体の一部が酸化することにより水素が発生し、上記燃料極層へと微量の水素が長時間導入され続けることになる。そのため、上記緊急停止用酸化剤ガス供給手段は、酸化剤極層へと長時間酸化剤ガスを供給することが可能な構成にする必要があった。
【発明の概要】
【発明が解決しようとする課題】
【００１２】
本発明は、かかる事情に鑑みてなされたものであり、完全停電により緊急停止した際に、空気極層の結晶構造の変化を防止することにより、固体酸化物形燃料電池の発電性能の低下を防止することが可能な燃料電池システムを提供することを課題とするものである。
【課題を解決するための手段】
【００１３】
上記課題を解決するために、請求項１に記載の燃料電池システムは、燃料極層に燃料ガスが供給され、酸化剤極層に酸化剤ガスが供給されることにより発電反応が生じる固体酸化物形燃料電池と、燃料ガス供給手段から供給された燃料ガスを上記燃料極層へと供給する燃料ガス供給ラインと、この燃料ガスラインに介装された改質器と、この改質器の上流側の上記燃料ガス供給ラインに接続されて上記改質器に改質用の水蒸気を供給する水蒸気供給ラインと、酸化剤ガス供給手段から供給された酸化剤ガスを上記酸化剤極層に供給する酸化剤ガス供給ラインとを備えてなり、上記酸化剤ガス供給ラインに、上記燃料ガス供給手段および酸化剤ガス供給手段並びに上記水蒸気供給ラインが緊急停止した際に、上記酸化剤極層に酸化剤ガスを供給可能な緊急停止用酸化剤ガス供給手段が設けられ、かつ上記緊急停止用酸化剤ガス供給手段は、上記燃料ガス供給ラインおよび上記改質器の総容量により定められた容量の酸化剤ガスが充填された第1の酸化剤ガスタンクと、この第１の酸化剤タンクと上記酸化剤供給手段との間の上記酸化剤ガス供給ラインに、上記燃料ガス供給手段および上記酸化剤ガス供給手段並びに上記水蒸気供給ラインが緊急停止した際に開く電磁弁を介して枝配管されて酸化剤ガスが充填された第２の酸化剤ガスタンクと、この第２の酸化剤ガスタンクと上記電磁弁との間に介装されて上記第1の酸化剤ガスタンクから上記容量の酸化剤ガスが供給された後に上記水蒸気供給ラインの残余の水蒸気が無くなるまで上記第２の酸化剤ガスタンクからの酸化剤ガスの供給量を第１の酸化剤ガスタンクの酸化剤ガスの供給量より少なくなるように調整して上記酸化剤極層に供給する酸化剤ガス流量調整手段とを備えていることを特徴とするものである。
【発明の効果】
【００１７】
請求項１に記載の本発明によれば、上記酸化剤ガス供給ラインに、上記燃料ガス供給手段および酸化剤ガス供給手段が緊急停止した際に、上記酸化剤極層に酸化剤ガスを供給可能な緊急停止用酸化剤ガス供給手段を設けているために、完全停電などにより酸化剤ガス供給手段が停止した状態であっても、緊急停止用酸化剤ガス供給手段によって、上記酸化剤極層に酸化剤ガスが供給され続けることから、上記残存燃料ガスが燃料極層へと流入しても、酸化剤ガスの酸素イオンが燃料極層へと移動する。これにより、酸化剤極層の酸素イオンが、燃料極層へと移動することが無くなるため、酸化剤極層の結晶構造の変化を防止することが可能となる。この結果、固体酸化物形燃料電池の発電性能の低下を防止することが可能となる。
【００１８】
また、上記緊急停止用酸化剤ガス供給手段を、上記酸化剤ガス供給ラインに配され、燃料ガス供給ラインの容量により定められた容量の酸化剤ガスが充填された第1の酸化剤ガスタンクと、その上流に配されて酸化剤ガスが充填された第２の酸化剤ガスタンクとにより構成してなるために、上記燃料ガス供給ラインの残存燃料ガスが無くなるまで、第１の酸化剤ガスタンクから酸化剤極層へと酸化剤ガスが導入され、その後、上記水蒸気供給手段の残余の水蒸気がなくなるまで、第２の酸化剤ガスタンクから酸化剤極層へと酸化剤ガスが導入される。この結果、酸化剤極層へと長時間酸化剤ガスを供給することが可能となるため、確実に酸化剤極層の結晶構造の変化を防止することが可能となる。
【００１９】
ところで、上述のように、水蒸気供給手段の残余の水蒸気が燃料極層に微量の供給量で導入されている際に、酸化剤極層側に多量の酸化剤ガスが導入されると、発電セルの燃料極層が剥離する可能性がある。
【００２０】
それに対し、請求項１に記載の燃料電池システムは、上記第２の酸化剤ガスタンクと上記酸化剤ガス供給ラインとの間に、上記第２の酸化剤ガスタンクの酸化剤ガスの供給量を第１の酸化剤ガスタンクの酸化剤ガスの供給量により少なくなるように調整する酸化剤ガス流量調整手段が介装されているために、緊急停止直後、第１の酸化剤ガスタンクから空気極層へと多量の空気が供給され、その後、水蒸気供給手段の残余の水蒸気が燃料極層に微量の供給量で導入される際に、第２の酸化剤ガスタンクから空気極層へと微量の空気が供給される。この結果、発電セルの燃料極層の剥離を防止することが可能である。
【図面の簡単な説明】
【００２３】
【図１】本発明に係る燃料電池システムの第１の実施形態を示す概略構成図である。
【図２】本発明に係る燃料電池システムの第２の実施形態を示す概略構成図である。
【図３】本発明に係る燃料電池システムの第３の実施形態を示す概略構成図である。
【図４】図１〜図３の固体酸化物形燃料電池の単セルを示す縦断面図である。
【発明を実施するための形態】
【００２４】
（第１実施態）
以下、本発明に係る燃料電池システムの第１実施形態について図１および図４を用いて説明する。
図１に示すように、本発明の燃料電池システムは、内缶体１と、該内缶体１を断熱材２を介して覆う外缶体３とからなる缶体４の内部に収容された固体酸化物形燃料電池５および改質器６と、缶体４の下部に穿設され、固体酸化物形燃料電池５から排出された排ガスを缶体４外へと排出する排出口７と、該排出口７に配設された水蒸気発生器８と、缶体４の外部に配設された炭化水素ガスブロア９（燃料ガス供給手段）、水ポンプ１０、空気ブロア１１（酸化剤ガス供給手段）および緊急用酸化剤ガス供給手段１２とによって概略構成されている。
【００２５】
この固体酸化物形燃料電池５は、図４に示すように、固体電解質層１３の一方の面に燃料極層１４を、他方の面に空気極層(酸化剤極層)１５を配置した発電セル１６の外側に、各々燃料極集電体１７と空気極集電体１８を配置し、これらの集電体１７、１８の外側にセパレータ１９を配置することにより単セル２０が構成され、図１に示すように、この単セル２０を複数積層させ、その積層体をフランジ２１ａ、２１ｂで挟み込むことにより構成されている。
【００２６】
ここで、固体電解質層１３は、ストロンチウム、マグネシウム、コバルトを添加したランタンガレート材料（ＬＳＧＭＣ）によって構成されている。
【００２７】
また、燃料極層１４は、Ｎｉのサーメットで構成され、空気極層１５は、サマリウムストロンチウムコバルタイト(ＳＳＣ）によって構成されている。
【００２８】
さらに、燃料極集電体１７は、Ｎｉ基合金などの多孔質焼結板によって構成され、空気極集電体１８は、Ａｇ基合金などの多孔質焼結板によって構成されている。
【００２９】
そして、セパレータ１９は、ステンレス板によって構成されるとともに、燃料極層１４に水素（燃料ガス）を供給する燃料ガス通路２２および空気極層１５に空気(酸化剤ガス)を供給する酸化剤ガス通路２３が穿設されている。また、セパレータ１９は、発電セル１６から外れた位置に、燃料ガス孔(図示せず)および酸化剤ガス孔(図示せず)が穿設され、各々セパレータ１９の燃料ガス孔同士の間および酸化剤ガス孔同士の間が、絶縁性のセラミックからなるマニホールドリング(図示せず)を間に介して連通されることにより、燃料ガスマニホールド(図示せず)および酸化剤ガスマニホールド(図示せず)が形成されている。
【００３０】
さらに、発電セル１６を挟持しているセパレータ１９同士の間は、Ｎｉの多孔質焼結板からなる燃料極集電体１７、およびＡｇの多孔質焼結板からなる空気極集電体１８から排出される高温の残余のガス（排ガス）を缶体４内に排出可能なシールレス構造となっている。
【００３１】
また、フランジ２１ａ、２１ｂには、上記燃料ガスマニホールドに燃料ガスを導入する燃料ガス流路（図示せず）が穿設されるとともに、上記酸化剤ガスマニホールドに空気を導入する酸化剤ガス流路（図示せず）が穿設されている。
【００３２】
一方、炭化水素ガスブロア９は、燃料ガス供給ライン２４ｂを介して改質器６へと炭化水素ガスを供給するものである。そして、この燃料ガス供給ライン２４ｂには、缶体４の外側に、燃料ガス用電磁弁２５が介装されている。
【００３３】
この燃料ガス用電磁弁２５は、非通電時に、閉状態となって、燃料ガス供給ライン２４ｂの炭化水素ガスの下流への供給を遮断するものであり、耐久温度の範囲において可能な限り缶体４近傍に配置されている。
【００３４】
また、改質器６は、炭化水素ガスおよび水蒸気との混合ガスが導入されて、改質反応が行われることにより、固体酸化物形燃料電池５の燃料極層１４に供給する水素を生成するものであり、内部に炭化水素用のＮｉ（ニッケル）系、或いはＲｕ（ルテニウム）系の改質触媒が充填されている。そして、この改質器６の出口側に燃料ガス供給ライン２４ａが接続されると共に、その燃料ガス供給ライン２４ａの他端部がセパレータ１９の燃料ガスマニホールド（図示せず）を介して燃料極層１４へと水素を供給するフランジ２１ａ、２１ｂの酸化剤ガス流路（図示せず）に接続されている。
【００３５】
他方、水ポンプ１０は、その吐出側が水蒸気供給ライン２６ｂを介して水蒸気発生器８へと接続されている。
【００３６】
そして、水蒸気発生器８は、水ポンプ１０から導入された水を上記排ガスの熱によって加熱して、改質器６の改質反応に必要な水蒸気を生成するものであり、水を効率良く気化させるための熱伝導性の良好なビーズが充填されている。さらに、水蒸気発生器８の出口側は、水蒸気供給ライン２６ａを介して燃料ガス供給ライン２４ｂに接続されている。
【００３７】
また、空気ブロア１１は、その吐出口に酸化剤ガス供給ライン２７が接続されると共に、その酸化剤ガス供給ライン２７の他端部がセパレータ１９の上記酸化剤ガスマニホールド（図示せず）を介して空気極層１５へと空気を供給するフランジ２１ａ、２１ｂの上記酸化剤ガス流路（図示せず）に接続されている。
【００３８】
一方、緊急停止用酸化剤ガス供給手段１２は、酸化剤ガス供給ライン２７に介装された第１の空気バッファタンク（第１の酸化剤ガスタンク）２８と、その上流部に酸化剤ガス用電磁弁２９、ニードルバルブ(酸化剤ガス流量調整手段)３６および減圧弁３０を介して配設された第２の空気バッファタンク（第２の酸化剤ガスタンク）３１とによって構成されている。
【００３９】
この第1の空気バッファタンク２８は、発電時に、空気ブロア１１から供給された空気の圧力を安定化させて空気極層１５へと供給するものであるとともに、完全停電により空気ブロア１１が停止した際に、タンク内の空気を空気極層１５へと供給するものである。そして、第1の空気バッファタンク２８の容量は、燃料ガス供給ライン２４ａ、改質器６、および燃料ガス供給ライン２４ｂの改質器６と燃料ガス用電磁弁２５との間の総容量により定まっている。
【００４０】
また、第２の空気バッファタンク３１は、完全停電により空気ブロア１１が停止した際に、第１の空気バッファタンクの空気の不足を補う酸化剤ガスが充填されたものであり、タンク内の空気を第１の空気バッファタンク２８を介して空気極層１５へと供給するものである。そして、第２のバッファタンク３１は、タンク圧が第１の空気バッファタンク２８のタンク圧に比べて高圧に調整されている。
【００４１】
そして、酸化剤ガス用電磁弁２９は、非通電時に開状態となり、第２の空気バッファタンク３１内の空気を酸化剤ガス供給ライン２７へと導入させるものである。
【００４２】
また、ニードルバルブ３６は、第２の空気バッファタンク３１から酸化剤ガス供給ライン２７へと導入する空気の供給量を、第１の空気バッファタンク２８から酸化剤ガス供給ライン２７へと導入する空気の供給量より少なくなるように調整するものである。
【００４３】
さらに、減圧弁３０は、タンク圧の高い第２の空気バッファタンク３１から酸化剤ガス供給ライン２７へと供給される空気の圧力を減圧させるものである。
【００４４】
以上の構成からなる燃料電池システムは、停電により炭化水素ガスブロア９、水ポンプ１０および空気ブロア１１が停止し、その停電が長時間継続すると完全停電と判断して、そのまま緊急停止する。
【００４５】
すると、完全停電により燃料ガス用電磁弁２５への通電も停止されることから、自動的に燃料ガス用電磁弁２５の閉状態となり、燃料ガス供給ライン２４ｂの炭化水素ガスの下流への供給が遮断され、燃料ガス用電磁弁２５より下流の炭化水素ガスのみが、水蒸気発生器８内の残余の水蒸気と共に改質器６へと導入される。そして、改質器６において、上記炭化水素ガスと水蒸気の混合ガスが改質されて水素が生成され、その水素が固体酸化物形燃料電池５の燃料極層１４へと導入される。その後、燃料ガス供給ライン２４ｂの燃料ガス用電磁弁２５と水蒸気供給ライン２６ａとの合流部との間の炭化水素ガスが無くなると、水蒸気発生器８の残余の水蒸気のみが改質器６を通じて燃料極層１４へと微量な供給量で導入される。
【００４６】
この際、完全停電より酸化剤ガス用電磁弁２９への通電も停止されることから、自動的に酸化剤ガス用電磁弁２９が開状態となる。これにより、第１の空気バッファタンク２８から、燃料ガス供給ライン２４ａ、改質器６、および燃料ガス供給ライン２４ｂの改質器６と燃料ガス用電磁弁２５との間の炭化水素ガスが無くなるまで、空気極層１５へと空気が導入され、その後、第２の空気バッファタンク３１から、水蒸気供給発生器８の残余の水蒸気がなくなるまで、第１の空気バッファタンク２８を通じて空気極層１５へと空気が長時間導入される。これにより、残余の水素および水蒸気がなくなるまで、空気の酸素イオンを燃料極層１４へと移動させることが可能であることから、空気極層１５の酸素イオンが燃料極層１５へと移動することが無くなる。この結果、空気極層１５の結晶構造の変化を確実に防止することが可能となり、固体酸化物形燃料電池５の発電性能の低下を防止することが可能となる。
【００４７】
その際、水蒸気供給手段８の残余の水蒸気が燃料極層１４に微量の供給量で導入されている際に、空気極層１５に多量の空気が導入されると、発電セル１６の燃料極層１４が剥離してしまう可能性がある。
【００４８】
それに対し、第２の空気バッファタンク３１と酸化剤ガス供給ライン２７との間に、第２の空気バッファタンク３１の空気の供給量を第１の空気バッファタンク２８の空気の供給量より少なくなるように調整するニードルバルブ３６を介装しているために、緊急停止直後、第１の空気バッファタンク２８から空気極層１５へと多量の空気が供給され、その後、水蒸気供給手段８の残余の水蒸気が燃料極層１４に微量の供給量で導入される際に、第２の空気バッファタンク３０から空気極層１５へと微量の空気が供給される。この結果、発電セル１６の燃料極層１４の剥離を防止することが可能である。
【００４９】
加えて、燃料ガス供給ライン２４ｂに配された燃料ガス用電磁弁２５を、耐久温度の範囲において可能な限り缶体４近傍に配置しているために、燃料ガス供給ライン２４ｂの改質器６と燃料ガス用電磁弁２５との間の容量を小さくすることが可能となり、改質器６を介して燃料極層１４へと供給される炭化水素ガスの総容量を少なくすることが可能となる。
【００５０】
（第２実施形態）
次に、本発明に係る燃料電池システムの第２実施形態を図２を用いて説明する。なお、本実施形態は、酸化剤ガス用電磁弁２９に替えて酸化剤ガス制御用電磁弁を介装している点が第１実施形態と異なっている。そのため、固体酸化物形燃料電池５の構成等の第１実施形態と同一の構成については、同一符号を用いることにより説明を省略する。
【００５１】
本実施形態の燃料電池システムは、第２のバッファタンク３１と酸化剤ガス供給ライン２７との間に、酸化剤ガス制御用電磁弁３２、ニードルバルブ３６、および減圧弁３０が介装されている。そして、缶体４外に、酸化剤ガス供給制御装置３３（酸化剤ガス供給制御手段）および補助電源３４設けられている。
【００５２】
ここで、酸化剤ガス制御用電磁弁３２は、非通電時に、閉状態となり、第２の空気バッファタンク３１内の空気が酸化剤ガス供給ライン２７へ導入されるのを遮断するとともに、通電時に、開状態となり、第２の空気バッファタンク３１内の空気を酸化剤ガス供給ライン２７へと導入させるものである。
【００５３】
また、酸化剤ガス供給制御装置３３は、熱電対等の温度測定点３５を水蒸気供給ライン２６ｂの缶体４の断熱材２に囲まれ、水蒸気発生器８の近傍となる位置に設け、その温度測定点３５の温度により酸化剤ガス制御用電磁弁３２への通電を行なうか否かを制御するものである。なお、本実施形態においては、この温度測定点３５の温度が、水蒸気発生器８において水蒸気が生成される１００℃以上となるときに酸化剤ガス制御用電磁弁３２に通電し、水蒸気が生成されなくなる１００℃以下となるときに通電を停止するように設定されている。
【００５４】
そして、補助電源３４は、酸化剤ガス制御用電磁弁３２および酸化剤ガス供給制御装置３３を動作させるものであり、固体酸化物形燃料電池５の発電反応により得られた電力を一部蓄電する蓄電池によって構成されている。
【００５５】
以上の構成からなる燃料電池システムは、停電により炭化水素ガスブロア９、水ポンプ１０および空気ブロア１１が停止し、その停電が長時間継続すると完全停電と判断して、そのまま緊急停止する。
【００５６】
すると、第１実施形態と同様に、完全停電により燃料ガス用電磁弁２５への通電も停止されることから、自動的に燃料ガス用電磁弁２５が閉状態となり、燃料ガス供給ライン２４ｂの炭化水素ガスの下流への供給が遮断され、燃料ガス用電磁弁２５より下流の炭化水素ガスのみが、水蒸気発生器８内の残余の水蒸気と共に改質器６へと導入される。そして、改質器６において、上記炭化水素ガスと水蒸気の混合ガスが改質されて水素が生成され、その水素が固体酸化物形燃料電池５の燃料極層１４へと導入される。その後、燃料ガス供給ライン２４ｂの燃料ガス用電磁弁２５と水蒸気供給ライン２６ａとの合流部との間の炭化水素ガスが無くなると、水蒸気発生器８の残余の水蒸気のみが改質器６を通じて燃料極層１４へと微量な供給量で導入される。
【００５７】
この際、補助電源３４が酸化剤ガス供給手段３３に制御されて、酸化剤ガス制御用電磁弁３２への通電を開始することから、酸化剤ガス制御用電磁弁３２が開状態となる。この結果、第２の空気バッファタンク３１から酸化剤ガス供給ライン２７へと空気を導入させることが可能となる。これにより、第１実施形態と同様に、燃料ガス供給ライン２４ｂ、改質器６、および燃料ガス供給ライン２４ａの改質器６と燃料ガス用電磁弁２５との間の炭化水素ガスが無くなるまで、空気極層１５へと多量の空気が導入され、その後、第２の空気バッファタンク３１から、水蒸気供給発生器８の残余の水蒸気がなくなるまで、第１の空気バッファタンク２８を通じて空気極層１５へと微量の空気が長時間導入される。この結果、空気極層１５の結晶構造の変化を確実に防止することが可能となり、固体酸化物形燃料電池５の発電性能の低下を防止することが可能となる。
【００５８】
さらに、温度測定点３５が、水蒸気供給手段８が水蒸気を生成しなくなる温度（１００℃以下）になるのを検知すると、補助電源３４が酸化剤ガス供給制御装置３３に制御されて、酸化剤ガス制御用電磁弁３２への通電を停止することから、酸化剤ガス制御用電磁弁３２が閉状態となる。これにより、第２の空気バッファタンク３１からの酸化剤ガス供給ライン２７への空気の供給が遮断される。この結果、燃料極層１４に水蒸気が流入されなくなると同時に自動的に空気極層１５への空気を停止することが可能となる。
【００５９】
そして、補助電源３４が、固体酸化物形燃料電池５の発電反応により得られた電力を一部蓄電する蓄電池によって構成されているために、常に補助電源３４には電力が蓄電されていることから、偶発的に完全停電が生じても、酸化剤ガス供給制御装置３３および酸化剤ガス制御用電磁弁３２を稼働させることが可能である。
【００６０】
（第３実施形態）
なお、図３に示すように、第１実施形態に記載の燃料電池システムの酸化剤ガス供給ライン２７と第１の空気バッファタンク２８との間に減圧弁２９および酸化剤ガス用電磁弁３０を介装したものであっても、燃料ガス供給ライン２４ｂ、改質器６、および燃料ガス供給ライン２４ａの改質器６と燃料ガス用電磁弁２５との間の炭化水素ガスが無くなるまで、空気極層１５へと空気を多量に導入して、第１の空気バッファタンク２８の空気が無くなった後、第２の空気バッファタンク３１から、水蒸気供給発生器８の残余の水蒸気がなくなるまで、第１の空気バッファタンク２８を通じて空気極層１５へと微量の空気を導入することが可能となる。この結果、第１の実施形態と同様に、確実に空気極層１５の結晶構造の変化を防止することが可能となる。
【符号の説明】
【００６１】
５  固体酸化物形燃料電池
９  炭化水素ガスブロア（燃料ガス供給手段）
１１  空気ブロア（酸化剤ガス供給手段）
１２  緊急停止用酸化剤ガス供給手段
２４ａ〜ｂ  燃料ガス供給ライン
２７〜ｃ  酸化剤ガス供給ライン
２８  第１の空気バッファタンク（第１の酸化剤ガスタンク）
２９  第１の電磁弁
３１  第２の空気バッファタンク（第２の酸化剤ガスタンク）
３２  酸化剤ガス制御用電磁弁
３３  酸化剤ガス供給制御装置（酸化剤ガス供給制御手段）
３４  補助電源
【図１】
0005609205.tif 000002
【図２】
0005609205.tif 000003
【図３】
0005609205.tif 000004
【図４】
0005609205.tif 000005